Podtech/llm-jp-corpus-v4-ja_patent huggingface dataset:
(57)【要約】      （修正有）【課題】一人でも設置可能で、より作業効率が高く、製造コストの少ない中型から大型の組み立て式の獣捕獲箱罠を提供する。【解決手段】入口に落下式扉を備えた組み立て式ゲージ形の獣捕獲箱罠で、獣捕獲箱罠内に入った野生獣を落下式扉の落下による入口の遮断によって対象獣を捕獲するようにした箱罠において、底面部４と、底面部４の長手方の両辺に垂直に立て固定される側面部１と、底面部４の短手方の辺と両側面部１の垂直辺を閉じるように設置されたゲート枠２及び遮断ゲート３と、ゲート枠２及び遮断ゲート３の反対面を塞ぐように固定される奥面部５とを備え、両側面部１においては、互いに上辺が接触しうるように両側面部１の上部を緩やかに、または鈍角的に曲げ加工を施し、上辺同士を固定することにより天井部を側面部１において形成する。【選択図】図１
0003230708.tif 000002
【実用新案登録請求の範囲】
【請求項１】
入口に落下式扉を備えた組み立て式ゲージ形の獣捕獲箱罠で、前記獣捕獲箱罠内に入った野生獣を落下式扉の落下による入口の遮断によって対象獣を捕獲するようにした箱罠において、
底面部と、
前記底面部の長手方の両辺に垂直に立て固定される側面部と、
前記底面部の短手方の辺と前記両側面部の垂直辺を閉じるように設置されたゲート枠及び遮断ゲートと、
前記ゲート枠及び前記遮断ゲートの反対面を塞ぐように固定される奥面部とを備え、
前記両側面部においては、互いに上辺が接触しうるように前記両側面部の上部を緩やかに、または鈍角的に曲げ加工を施し、前記上辺同士を固定することにより天井部を前記側面部において形成する
ことを特徴とする獣捕獲箱罠。
【請求項２】
前記奥面部の代わりに設置される前記ゲート枠及び前記遮断ゲートを備える
ことを特徴とする請求項１記載の獣捕獲箱罠。
【考案の詳細な説明】
【技術分野】
【０００１】
本発明は、獣捕獲箱罠に関するものである。
【背景技術】
【０００２】
従来より、イノシシやシカ等を捕獲するのに箱罠が汎用されている。その多くは分解・組立式であり、現地で組み立てることを想定してあるものが多い。
【０００３】
対象害獣が大きければ大きいほど、箱罠のサイズも大きくなり、作業時には本体を支える作業などの分担が必要となり、人手が多く必要となり作業効率が下がりがちである。
【０００４】
また狩猟者の高齢化や人手不足にも伴い、作業性の向上は憂慮すべき事柄である。
【先行技術文献】
【特許文献】
【０００５】
【特許文献１】特願２００４−１８１８６２号公報
【特許文献２】実願２００４−００２０６３号公報
【特許文献３】実願２０１８−００２６９３号公報
【考案の概要】
【考案が解決しようとする課題】
【０００６】
本考案は、このような問題に対処するためになされたもので、構造を簡潔にし、少人数でも簡単に組み立てることが可能になる獣捕獲箱罠を提供することにある。  
【課題を解決するための手段】
【０００７】
請求項１の考案は、入口に落下式扉を備えた組み立て式ゲージ形の獣捕獲箱罠で、前記獣捕獲箱罠内に入った野生獣を落下式扉の落下による入口の遮断によって対象獣を捕獲するようにした箱罠において、底面部と、前記底面部の長手方の両辺に垂直に立て固定される側面部と、前記底面部の短手方の辺と前記両側面部の垂直辺を閉じるように設置されたゲート枠及び遮断ゲートと、前記ゲート枠及び前記遮断ゲートの反対面を塞ぐように固定される奥面部とを備え、前記両側面部においては、互いに上辺が接触しうるように前記両側面部の上部を緩やかに、または鈍角的に曲げ加工を施し、前記上辺同士を固定することにより天井部を前記側面部において形成することを特徴とする獣捕獲箱罠。
【０００８】
また、請求項２の考案は、請求項１記載の獣捕獲箱罠において、前記奥面部の代わりに前記ゲート枠及び前記遮断ゲートを備える
ことを特徴とする。
【考案の効果】
【０００９】
請求項１及び２の考案によれば、本発明の獣捕獲箱罠は、天井部を側面部と一体化したことにより、組み立て時、仮止めを行うときに両面の側面部がお互いに支えあうので簡単に自立させることができる。したがって、一人でも組み上げることが可能になる。また、天井部が独立していないため、不注意による天井部の脱落などの事故等も起こりえない。また更に、天井部のパーツがないことにより、コストの削減にもなる。
【図面の簡単な説明】
【００１０】
【図１】本考案装置の実施例１を示す全体俯瞰図である。
【図２】本考案装置の実施例２を示す全体俯瞰図である。
【図３】本考案装置の実施例１・２の側面部のみの俯瞰図である。
【図４】本考案装置の実施例１・２の片側の側面部のみを多角的にとらえた複合図である。
【考案を実施するための形態】
【００１１】
以下、図面に基いて本発明の好適な実施形態を詳述する。
【実施例１】
【００１２】
図１のように地面に対し、底面部４を敷き、前記底面部４の長手方の両辺に、上部を緩やかに、または鈍角的に曲げ加工を施した図４にある側面部１二枚を、それぞれの下辺を緩めに仮固定する。片方の側面部１を逆側の側面部１の方へ仮固定中の下辺を中心に起こすように立ち上げ、一度反対側まで倒してしまう。その後同時に両側面部１を垂直になるように立ち上げそれぞれの上辺同士を強く固定する。すると箱形状が出来上がるので容易に変形しなくなり両側面部１が自立する。次に奥面部５を両側面部１と底面部４に接する奥面に設置し固定する。最後に奥面部５と反対側に当たる入口部に、遮断ゲート３が可動式に配置されたゲート枠２を設置し固定する。他の辺も固定し忘れないようにしっかりと固定する。
【００１３】
以後の動作、狩猟方法に関しては他の、入口に落下式扉を備えたゲージ形の獣捕獲箱罠で、前記獣捕獲箱罠内に入った野生獣を落下式扉の落下による入口の遮断によって対象獣を捕獲するようにした箱罠に準ずるものである。
【実施例２】
【００１４】
図２は、実施例１の奥面部の代わりに遮断ゲート３が可動式に配置されたゲート枠２をもう一組配置固定し、通り抜け可能な両開きの通過型ゲージ形の獣捕獲箱罠である。
【００１５】
実施例１同様、以後の動作、狩猟方法に関しては他の、入口に落下式扉を備えた通過型ゲージ形の獣捕獲箱罠で、前記獣捕獲箱罠内に入った野生獣を落下式扉の落下による入口の遮断によって対象獣を捕獲するようにした箱罠に準ずるものである。
【産業上の利用可能性】
【００１６】
本発明の獣捕獲箱は、簡易なパーツ構成にすることにより、少人数もしくは、一人でもより安全に組み立てできるようになっており、山林、その他任意の場所に設置することができ、狩猟者の抱える高齢化や人手不足などの悩みにも一役買うことができる。
【符号の説明】
【００１７】
１      側面部
２      ゲート枠
３      遮断ゲート
４      底面部
５      奥面部
【図１】
0003230708.tif 000003
【図２】
0003230708.tif 000004
【図３】
0003230708.tif 000005
【図４】
0003230708.tif 000006
(57)【要約】      （修正有）【課題】飛沫対策を行うために軽量なアルミの角パイプと透明な樹脂を仕切り板に設けたパーティションを提供する。【解決手段】二本の中空の柱１と三本の中空の横桟３、４、７から構成される四角いフレームと、三本の中空の横桟のうち、上の横桟７、中の横桟４の間に両面の四辺をアングル６で固定された透明な仕切り板２と、柱の下側に取り付けられた、Ｌ字型の安定脚５とビス穴があるコの字型をした横桟取付金具と、を有するパーティションであって、ビスで柱に下の横桟３を着脱可能にした。【選択図】図１
0003230650.tif 000002
【実用新案登録請求の範囲】
【請求項１】
二本の柱と三本の横桟で全体を四角いフレームにし、透明な仕切り板を上の横桟、中の横桟でテーブルの高さより上に固定し、柱に安定脚を取付け、下の横桟が取り外し可能としたところを特徴とするパーティション
【考案の詳細な説明】
【技術分野】
【０００１】
本考案は、飛沫対策を行うために軽量なアルミの角パイプと透明な樹脂を仕切り板に設けたパーティションである。
【背景技術】
【０００２】
学校、会社などでは、飛沫対策として段ボールやビニールシートを利用し、飛沫を遮断していたが、ほこりがつきやすく、衛生対策としてのアルコール消毒、次亜塩素酸水による拭き取りを長期間行うことができなかった。机やテーブルの上に設置されるパーティションは、一枚板で作られた簡易的なものが多く、強度が不足している。
【先行技術文献】
【非特許文献】
【０００３】
【非特許文献１】「透明なパーティション  製品パンフレット」、金山工業株式会社、2020年、P.1
【考案の概要】
【考案が解決しようとする課題】
【０００４】
飛沫対策を取りつつ近くの人と話をする場合は、透明な仕切りが必要になるが、やわらかなビニールシートではほこりがつきやすく、アルコール消毒液による拭き取りが難しい。アクリル板のつい立では大きなものが作れず、テーブルの仕切りとしては、上に置くだけであり、接触により落下、破損の危険がある。
【課題を解決するための手段】
【０００５】
本考案は、アルミ製の柱と横桟でフレームを軽量化しかつ耐久性があり、仕切り板として透明な部分に衝撃に強いポリカーボネートを上の横桟、中の横桟とアングルで固定し、中の横桟をテーブルの高さ以上にしている。下の横桟を取り外すことができるようにしてテーブル上での仕切りとすることで問題点を解決している。
【考案の効果】
【０００６】
上述の様に、本考案のパーティションはアルミ製のフレームにより強度があり、仕切り板のポリカーボネートにより衝撃に強くかつアルコール消毒や次亜塩素酸水での拭き取りに対応しており衛生的に保つことができるため、学校や会社などでの飛沫対策のパーティションとして役立つ。中の横桟の高さをテーブルの高さ以上にしてあるため、下側の横桟を一度外して、テーブルの内側にパーティションを設置できる。
【図面の簡単な説明】
【０００７】
【図１】本考案の透明なパーティションを示す正面図である。
【図２】本パーティションの側面図である。
【図３】柱と下の横桟を取り付けるための金具の側面図である。
【図４】柱と下の横桟を取り付けるための金具の上面図である。
【図５】下の横桟の上面図である。
【図６】下の横桟の背面図である。
【考案を実施するための形態】
【０００８】
二本の柱と三本の横桟で全体をアルミ製の四角いフレームにし、樹脂製の透明な仕切り板を上の横桟、中の横桟でテーブルの高さより上に固定し、柱に安定脚をボルトで取付け、下の横桟が取り外し可能としたところを特徴とするパーティションである。
【実施例】
【０００９】
以下、添付図面に従って一実施例を説明する。１はアルミ製の角パイプの柱、２は透明で、衝撃に強いポリカーボネートを利用した仕切り板、４と７は２を止めるための横桟、３は全体の強度を上げるための横桟、９は１の柱に３の下の横桟を止めるための金属金具、１０は1の柱に９の金具を固定する金具取付ビス、５は全体を立てるためのL字に曲げた鉄のフラットバーによる安定脚、６は２の仕切り板を柱と横桟に固定するためのアングル、８は角パイプの先端をカバーするためのキャップである。  
【００１０】
３の横桟は９の横桟取付金具から外すことでテーブルの内側までパーティションを設置することができ、設置した後、ビスで取り付けることによって全体の強度を変えない。
【符号の説明】
【００１１】
１  柱
２  仕切り板
３  下の横桟
４  中の横桟
５  安定脚
６  アングル
７  上の横桟
８  キャップ
９  横桟取付金具
１０  金具取付ビス  
【図１】
0003230650.tif 000003
【図２】
0003230650.tif 000004
【図３】
0003230650.tif 000005
【図４】
0003230650.tif 000006
【図５】
0003230650.tif 000007
【図６】
0003230650.tif 000008
【手続補正書】
【提出日】令和2年9月4日(2020.9.4)
【手続補正１】
【補正対象書類名】実用新案登録請求の範囲
【補正対象項目名】全文
【補正方法】変更
【補正の内容】
【実用新案登録請求の範囲】
【請求項１】
二本の中空の柱と三本の中空の横桟で全体を四角いフレームにし、透明な仕切り板を上の横桟、中の横桟の間に両面の四辺をアングルで固定し、柱の下側にL字型の安定脚とビス穴があるコの字型をした横桟取付金具をつけ、ビスで柱に下の横桟を着脱可能としたところを特徴とするパーティション
【手続補正書】
【提出日】令和2年11月26日(2020.11.26)
【手続補正１】
【補正対象書類名】実用新案登録請求の範囲
【補正対象項目名】全文
【補正方法】変更
【補正の内容】
【実用新案登録請求の範囲】
【請求項１】
二本の中空の柱と三本の中空の横桟から構成される四角いフレームと、前記三本の中空の横桟のうち、上の横桟、中の横桟の間に両面の四辺をアングルで固定された透明な仕切り板と、前記柱の下側に取り付けられた、L字型の安定脚とビス穴があるコの字型をした横桟取付金具と、を有するパーティションであって、ビスで前記柱に下の横桟を着脱可能にしたところを特徴とする、パーティション
(57)【要約】      （修正有）【課題】肩サポーター本体にクッションを内蔵し、肩への外部からの衝撃を緩和する重量物運搬用肩サポーターを提供する。【解決手段】肩サポーター本体１にクッション内蔵スペース２を設け、その内面にクッション３を入れ、本体生地１に付属の腕回り調整用面ファスナー４、胸回り調整面ファスナー５ａ、５ｂにより身体への取付けを可能としたことにより、肩に重量物を担いだ際の外的衝撃を防ぐことに役立つ。【選択図】図２
0003230655.tif 000002
【実用新案登録請求の範囲】
【請求項１】
肩サポーター本体の肩部に厚みのあるクッションを含有したところを特徴とする重量物運搬用肩サポーター
【考案の詳細な説明】
【技術分野】
【０００１】      本考案は、クッションを内蔵した、肩サポーターに関するものである。
【背景技術】
【０００２】      長尺重量物を肩で担ぐ際、肩部に負荷がかかり着衣の破損および汚損、また人体への裂傷が発生していた。
【先行技術文献】
【特許文献】
【０００３】
【特許文献１】特開平０３−１０２７７６号  広報
【特許文献２】特開平０３−２６５６７０号  広報
【考案の概要】
【考案が解決しようとする課題】
【０００４】      保護の無い状態での重量物を肩で担ぐ方法による運搬は、肩への負担が大きく、また衣服の破損および汚損により衣服の買い替えが必要となり経済的負担が発生する。従って、容易に着脱ができる肩サポーターの構造を利用することと肩部への外的な衝撃を保護するクッションの機能を一体化することにより、肩部の裂傷を防ぐことが可能になり前述の欠点を解決しようとするものである。
【課題を解決するための手段】
【０００５】    本考案は、肩サポーター本体の肩部分にクッションを内蔵するスペースを設け、そのスペースに柔軟性を持つクッションを固定し、その肩サポーターを衣服の上部から装着でき、肩サポーター本体に付属する腕回りと胸回り２か所のベルクロの調整により、肩部にクッションが重なることで、重量物運搬時の肩の裂傷発生という問題点を解決している。
【考案の効果】
【０００６】    上述の様に、本考案のクッション内蔵肩サポーターは肩サポーターとして肩の可動域を固定し肩痛を防ぐことは勿論、肩部にクッションを設けたことで、重量物運搬時の外的衝撃を緩和することができることにより作業服の裂傷および身体への裂傷を防ぐことに役立つ。
【図面の簡単な説明】
【０００７】
【図１】本考案のクッション内蔵サポーターの装着を示す正面図である。
【図２】本サポーターの展開図である。
【考案を実施するための形態】
【０００８】以下、本発明の形態を図示に基づいて説明する。片側の肩に取り付けることができる肩サポーター本体生地１を設け、その中央部にクッションを含有するためのスペース２を設ける。本体生地１とスペース２の間にクッション３を挿入後、スペースを縫製にて閉じる。腕周りのサイズを調節し固定するための面ファスナー４は本体生地１に付着する。面ファスナー５ａ、５ｂは右肩、左肩両肩で使用できるよう設けられ、胸周りのサイズを調節し固定するため本体生地１に付着する。本発明を使用する時は図１に示すように、衣服の外側に肩に沿うように取り付けて腕、胸を面ファスナーで留めて使用する。
【実施例】
【０００９】重量物である足場を担ぐ建築現場。素材を運ぶ材料運搬業者など外的要因による肩の痛みが発生する人達がユニホームの外に取り付けて使用すれば肩への衝撃を防ぐことができる。
【符号の説明】
【００１０】１    本体生地
２    クッション内蔵用スペース
３    クッション
４    腕回り面ファスナー
５ａ  胸回り面ファスナー（右利き用）
５ｂ  胸回り面ファスナー（左利き用）
【図１】
0003230655.tif 000003
【図２】
0003230655.tif 000004
(57)【要約】      （修正有）【課題】歯と歯茎に優しい歯ブラシヘッドを提供する。【解決手段】歯ブラシヘッドのブラシを除くヘッド本体１の、先端から６０ｍｍの範囲を表面が滑らかであり且つ弾力性のある軟質プラスチック２によって被覆し、歯ブラシの先端部分が直接歯や歯茎に当たった場合でも、当該の軟質プラスチック（ＥＰＤＭポリプロピレン）２の弾力性により、歯や歯茎に与える衝撃を和らげることが出来ることで、歯と歯茎に優しい歯ブラシヘッドを構成している。【選択図】図３
0003230652.tif 000002
【実用新案登録請求の範囲】
【請求項１】
従来の硬質プラスチック（ポリプロピレン）で作られる、ブラシを除く歯ブラシヘッド本体の先端部分から６０ｍｍの範囲を、表面が滑らかであり且つ弾力性のある軟質プラスチック（ＥＰＤＭポリプロピレン）によって被覆し、その結果歯ブラシヘッドが直接歯や歯茎に当たった場合でも、当該の軟質プラスチックの弾力性により、歯や歯茎に与える衝撃を和らげることが出来ることを特徴とする歯ブラシ。
【考案の詳細な説明】
【技術分野】
【０００１】本考案は、歯と歯茎に優しい歯ブラシヘッドに関するものである。
【背景技術】
【０００２】従来の歯ブラシヘッドは、ブラシを除くヘッド本体の稜線部分が角張ったものか、あるいは多少丸みを帯びた硬質のプラスチック（ポリプロピレン）のみで構成されていた。【０００３】しかしながら、従来の歯ブラシヘッドはブラシを除くヘッド本体が硬質プラスチック（ポリプロピレン）のみで構成されているため、歯ブラシの柄の部分に力を加えて歯を強く磨こうとすると、歯ブラシヘッドのブラシを除くヘッド本体の稜線部分が直接歯や歯茎に激しく当たり、歯を損傷したり歯茎を傷つけたりすることがあるという欠点があった。
【先行技術文献】
【特許文献】
【０００４】
【特許文献１】実開平５−３７１３１号公報
【考案の概要】
【考案が解決しようとする課題】
【０００５】本考案は、以上のような従来の欠点に鑑み、歯ブラシヘッドのブラシを除くヘッド本体の稜線部分が直接歯や歯茎に激しく当たっても、歯を損傷したり歯茎を傷つけたりしないような、歯と歯茎に優しい歯ブラシヘッドを提供することを目的としている。
【課題を解決するための手段】
【０００６】上記目的を達成するために本考案は、従来の硬質プラスチック（ポリプロピレン）のみで作られる歯ブラシヘッドのブラシを除くヘッド本体の、先端から６０ｍｍの部分全体を、表面が滑らかであり且つ弾力性のある軟質プラスチック（ＥＰＤＭポリプロピレン）で、厚さ１．０ｍｍ被覆するという方法によって問題点を解決している。
【考案の効果】
【０００７】以上の説明から明らかなように、本考案にあっては次に列挙する効果が得られる。
（１）材質が硬質プラスチック（ポリプロピレン）である、歯ブラシヘッドのブラシを除くヘッド本体を、軟質プラスチック（ＥＰＤＭポリプロピレン）によって被覆する方法で構成されているので、歯ブラシのヘッド本体が直接歯や歯茎に当たった場合でも、当該の軟質プラスチック（ＥＰＤＭポリプロピレン）の弾力性により、歯や歯茎に与える衝撃を和らげることが出来る。【０００８】（２）前記（１）によって本考案である歯ブラシヘッド本体が、どのような角度で歯や歯茎に当たった場合でも、歯と歯茎が傷つきにくいようにすることができる。【０００９】（３）本考案の歯ブラシヘッドのブラシを除くヘッド本体を被覆する軟質プラスチック（ＥＰＤＭポリプロピレン）は、繰り返しの使用に関しても摩耗しにくい性質を持つ素材であるとともに、表面が滑らかであるので汚れが付きにくいという性質も持つ。
【図面の簡単な説明】
【００１０】
【図１】本考案の実施例を示す斜視図である。
【図２】本考案の実施例を示す正面図である。
【図３】本考案の実施例を示す平面図である。
【図４】本考案の実施例を示す左側面図である。
【考案を実施するための形態】
【００１１】  以下、本考案の実施の形態を図に基づいて説明する。
【実施例１】
【００１２】  図１は、本考案の歯ブラシヘッドの実施例１の斜視図である。
【実施例２】
【００１３】  図２は、本考案の歯ブラシヘッドの実施例２の正面図である。
符号１の部分は硬質プラスチックでできており、それを被膜する符号２の部分は軟質プラスチックでできている。符号３は、符号１の硬質プラスチックの底面中央部および両側面に施された溝を示している。
【実施例３】
【００１４】  図３は、本考案の歯ブラシヘッドの実施例３の平面図である。
符号１の部分は硬質プラスチックでできており、それを被膜する符号２の部分は軟質プラスチックでできている。符号３は、符号１の硬質プラスチックの底面中央部および両側面に施された溝を示している。
【実施例３】
【００１５】  図４は、本考案の歯ブラシヘッドの実施例４の左側面図である。
符号１の部分は硬質プラスチックでできており、それを被膜する符号２の部分は軟質プラスチックでできている。符号３は、符号１の硬質プラスチックの底面中央部に施された溝を示している。
【産業上の利用可能性】
【００１６】  本考案は、歯ブラシを製造する産業で利用される。
【符号の説明】
【００１７】  １  硬質プラスチック（ポリプロピレン）で作られた、歯ブラシヘッドのブラシを除くヘッド本体部分
２  歯ブラシヘッドのブラシを除くヘッド本体部分を皮膜する軟質プラスチック（ＥＰＤＭポリプロピレン）の層
３  歯ブラシヘッドのブラシを除くヘッド本体部分に施された溝
【図１】
0003230652.tif 000003
【図２】
0003230652.tif 000004
【図３】
0003230652.tif 000005
【図４】
0003230652.tif 000006
(57)【要約】      （修正有）【課題】練習時の靴音が周囲に対して騒音となる問題を防止できるフラメンコ練習用板を提供する。【解決手段】フラメンコ練習用板は、遮音効果の高いスタイロフォーム（登録商標）の板２、木製板３、ゴム製吸音シート４を接着剤にて層状に張り合わせることで、フラメンコ等の練習時の靴音を吸音し、周囲に伝わりにくくし、周囲への騒音を軽減する。【選択図】図１
0003230668.tif 000002
【実用新案登録請求の範囲】
【請求項１】
ゴム製の吸音シートと遮音効果のあるスタイロフォーム等の板、木製板を何層にも重ね合わせた騒音の少ないフラメンコ等練習用コンパネ
【考案の詳細な説明】
【技術分野】
【０００１】  本考案は、フラメンコ練習時の騒音の軽減を図ったフラメンコ等練習用コンパネに関する。
【考案の開示】
【考案が解決しようとする課題】
【０００２】  従来のフラメンコ練習用コンパネは練習時の靴音が近隣住民の耳に入りうるさいものであった。【０００３】  本考案はこのような従来の構成が有していた問題を解決しようとするものであり、靴音による騒音を効果的に防音・遮音し、練習時の靴音が周囲に伝わりにくくすることを目的とするものである。
【課題を解決する為の手段】
【０００４】  そして、本考案は上記目的を達成する為に遮音効果の高いスタイロフォーム等の板、木製板、ゴム製吸音シートを接着剤にて層状に張り合わせ、さらにきれいに見えるように布でカバーし４辺をホチキスとガムテープで固定したコンパネの吸音・遮音部分の本体である。合わせて、木製の板の４辺にガムテープで縁取りを施したものを状況に応じて重ね利用する。
【０００５】  上記第１の課題解決手段による作用は次の通りである。練習時の靴音を吸音シートが吸音し、遮音効果のあるスタイロフォーム等がさらに靴音を遮音し周囲に伝わりにくくする。
【考案の効果】
【０００６】  上述したように本考案のフラメンコ練習等用コンパネは、練習時の靴音を吸音・遮音するとともに、周囲へ騒音がいくことを抑えることができ、周囲への騒音の少ないフラメンコ等の練習が可能となる。
【０００７】  以下、本考案の実施の形態を図１〜図５に基づいて説明する。
【０００８】  図１においては１は黒い布２はスタイロフォーム、３は木製の板、４はゴム製の吸音シート、５はホチキス針、６はガムテープ。それぞれを接着した吸音・遮音効果のあるの本体部分。
【０００９】  また、図２においては布の４辺は吸音シートへホチキス留めを行いさらにガムテープにて固定する。
【００１０】また、図３においては木製の板の４辺をガムテープで周囲を囲うように張る。
【００１１】  また、図４においてはコンパネの形状を上部から見たのもである。
【図面の簡単な説明】
【００１２】
【図１】本考案の実施形態を示すコンパネ吸音・遮音効果のある本体部分の断面図
【図２】本体部分の角の布の始末
【図３】木製コンパネ部分の断面図
【図４】吸音・遮音本体、木製コンパネ表面図
【図１】
0003230668.tif 000003
【図２】
0003230668.tif 000004
【図３】
0003230668.tif 000005
【図４】
0003230668.tif 000006
【手続補正書】
【提出日】令和2年11月11日(2020.11.11)
【手続補正１】
【補正対象書類名】実用新案登録請求の範囲
【補正対象項目名】全文
【補正方法】変更
【補正の内容】
【実用新案登録請求の範囲】
【請求項１】
ゴム製の防音シートと遮音性のあるスタイロフォーム（登録商標）、木製板、カーペットを４層に重ね合わせた騒音の少ないフラメンコ・タップダンス練習用板。
(57)【要約】      （修正有）【課題】背中から発する熱を速やかに外へ逃がすことができる機能的な夏服上衣を提供する。【解決手段】上衣の左後パネル２３及び右後パネル２４をメッシュ生地で形成し、各パネルの幅Ｗ２を、身幅Ｗ３の１０％乃至３０％とした。着用者の背中から発せられる熱を左後パネル及び右後パネルから速やかに外へ逃がすことが可能である。【選択図】図２
0003230663.tif 000002
【実用新案登録請求の範囲】
【請求項１】
後身ごろの左右両側のパネルが、身幅の１０乃至３０％の幅のメッシュ生地からなることを特徴とする夏服上衣。
【請求項２】
前記左右両側のパネルは、背ヨークからすそ線まで縦方向へ延びることを特徴とする請求項１に記載の夏服上衣。
【請求項３】
前記左右両側のパネル間には中後パネルが設けられ、前記中後パネルは、メッシュ生地とは異なる生地からなることを特徴とする請求項１又は２に記載の夏服上衣。
【考案の詳細な説明】
【技術分野】
【０００１】
本考案は、制服等に用いられる夏服上衣に関する。
【背景技術】
【０００２】
例えば、警察官等に定められた制服においては、機能的であることが要求される。特に、夏服上衣においては、耐久性はもちろん、炎天下であっても熱が内に籠らないように排熱性を確保する必要がある。ここで、特許文献１には、後身ごろの両側にメッシュ布地による通気部を介在させたシャツが開示されている。特許文献１に記載されたシャツは、スーツを着用するビジネスマンを対象とし、メッシュ布地が目立たないようにして品位を保ちながら快適性についての考慮を図ったものである。そのため、メッシュ布地の幅寸法は、５乃至１０ｃｍ程度に止まり、制服に用いた場合、排熱性に問題がある。
【０００３】
一方、特許文献２には、背中部分がメッシュ部材であるシャツが開示されている。特許文献２に記載されたシャツは、背中全体がメッシュ部材で形成されているので、着用したときの剛性感（繊度）が不足し、例えば、着用者が背中を背もたれに押し付けたとき、着用者が背中に違和感（不快感）を感じるおそれがある。
【先行技術文献】
【特許文献】
【０００４】
【特許文献１】特開２００３−１３３０１号公報
【特許文献２】特開２００３−４１４０１号公報
【考案の概要】
【考案が解決しようとする課題】
【０００５】
本考案の課題は、機能的な夏服上衣を提供することにある。
【課題を解決するための手段】
【０００６】
前記課題を解決するため、本考案は、後身ごろの左右両側のパネルが、身幅の１０乃至３０％の幅のメッシュ生地からなることを特徴とする。
【考案の効果】
【０００７】
本考案によれば、着用者の背中から発せられる熱を、後身ごろの左右両側のパネルから速やかに外へ逃がすことができる。
【図面の簡単な説明】
【０００８】
【図１】本実施形態に係る夏服上衣の前面図である。
【図２】本実施形態に係る夏服上衣の後面図である。
【考案を実施するための形態】
【０００９】
本考案の一実施形態を添付した図１、図２を参照して説明する。
ここでは、警察官等に定められた制服に用いられる夏服上衣１を説明する。図１に示されるように、夏服上衣１は、シャツカラー２を有する長袖の上衣であり、前身ごろ１１（図１参照）と後身ごろ２１（図２参照）とを有する。
【００１０】
図１に示されるように、前身ごろ１１は、左前身ごろ１２と右前身ごろ１３とを有する。右前身ごろ１３の下前１５には、縦方向に間隔をあけて複数個のボタン３が設けられる。他方、左前身ごろ１２の上前１５には、複数個のボタン３に対応するボタン穴（図示省略）が設けられる。
【００１１】
左前身ごろ１２及び右前身ごろ１３には、肩ヨーク４からすそ線５まで縦方向に延びる切り替え１６及び切り替え１７が設けられる。左前身ごろ１２の切り替え１６及び右前身ごろ１３の切り替え１７上には、フラップポケット１８及びフラップポケット１９が設けられる。なお、肩ヨーク４の左右両側には、先剣型の肩章６，６が設けられる。また、前身ごろ１１は、例えば、ポリエステルが８０％、麻が２０％の混用率の表生地が用いられる。
【００１２】
図２に示されるように、後身ごろ２１は、中後パネル２２と、中後パネル２２の左右両側に設けられた左後パネル２３及び右後パネル２４と、を有する。換言すれば、左後パネル２３は、中後パネル２２と左前身ごろ１２との間に設けられ、右後パネル２４は、中後パネル２２と右前身ごろ１３との間に設けられる。中後パネル２２は、前身ごろ１１と同一の表生地が用いられ、背ヨーク７からすそ線５まで一定幅（図２における「Ｗ１」）で延びる。
【００１３】
左後パネル２３及び右後パネル２４は、例えば、ポリエステルが１００％の混用率のメッシュ生地からなる。左後パネル２３及び右後パネル２４は、中後パネル２２と同色に染色される。左後パネル２３及び右後パネル２４は、背ヨーク７からすそ線５まで延びる。左後パネル２３及び右後パネル２４の幅（図２における「Ｗ２」）は、身幅（図２における「Ｗ３」）の１０％乃至３０％である（Ｗ３＝Ｗ１＋Ｗ２×２）。
【００１４】
本実施形態によれば、後身ごろ２１の左後パネル２３及び右後パネル２４（左右両側のパネル）にメッシュ生地を用いたので、左後パネル２３及び右後パネル２４から内に籠った熱を外へ逃がすことができる。
そして、本実施形態では、左後パネル２３及び右後パネル２４の幅（Ｗ２）を、身幅（Ｗ３）の１０％乃至３０％としたので、着用者の背中から発せられる熱を左後パネル２３及び右後パネル２４から速やかに外へ逃がすことが可能であり、着用者の背中に熱が籠るのを抑制することができる。これにより、炎天下における着用者の熱中症を防止した夏服上衣１を提供することができる。
また、本実施形態では、後身ごろ２１の左右方向中央の中後パネル２２に前身ごろ１１と同一の表生地を用いたので、着用したときの剛性感（繊度）が確保され、例えば、背ヨーク７からすそ線５までの生地全てにメッシュ生地が用いられたシャツ（特許文献２）のように、着用者が背中を背もたれに押し付けたとき、着用者が背中に違和感（不快感）を感じることがなく、剛性感を備えた機能的な夏服上衣１を提供することができる。
【符号の説明】
【００１５】
１  夏服上衣、２１  後身ごろ、２２  中後パネル、２３  左後パネル、２４  右後パネル
【図１】
0003230663.tif 000003
【図２】
0003230663.tif 000004
(57)【要約】      （修正有）【課題】マスク本体に息苦しさと顔に張り付く不快感をなくしワークアウト中のストレスを軽減するマスクと顔の隙間に挟み込む製品を提供する。【解決手段】マスクと顔の隙間に挟み込む製品は、マスクのブラケットであり、耐久性のある適材素材を使い、複数の開口部を有する一体成形による製品であって、マスクのブラケットをマスクと顔の間に本品を入れることにより隙間を増やし、ワークアウト中の鼻や口からの呼吸のサポート、マスクが汗や水分で湿った時も鼻や口にくっつく不快感が無くなり、着けていても周りからの見た目的に違和感がなくマスクによる息苦しさから解放される。【選択図】図１
0003230672.tif 000002
【実用新案登録請求の範囲】
【請求項１】
マスクと顔の間に本品を入れることにより隙間を増やし、ワークアウト中の鼻や口からの呼吸のサポート、マスクが汗や水分で湿った時も鼻や口にくっつく不快感が無くなり、着けていても周りからの見た目的に違和感がない、マスクによる息苦しさから解放される製品
【考案の詳細な説明】
【技術分野】
【０００１】  本考案はマスクに顔との間に隙間を設けることによりワークアウト中の息苦しさを軽減したマスクに関するものである。
【背景技術】
【０００２】  ワークアウト中の息苦しさから集中できずにマスクを時々外して呼吸していたので集中できず、本来の力を発揮できなかった。
【先行技術文献】
【非特許文献】
【０００３】
【非特許文献１】ジェコル  ｏｎｌｉｎｅ  マスクスペーサー
【考案の概要】
【考案が解決しようとする課題】
【０００４】  本考案はマスク本体に息苦しさと顔に張り付く不快感をなくしワークアウト中のストレスを軽減を解決しようとするものである。
【課題を解決するための手段】
【０００５】  ワークアウトをする方はもちろん、一般の生活で通勤、通学、家事や階段の昇降、坂道など、より多くの呼吸を必要とする方にこの製品を着けてもらいマスク着用の息苦しさのも問題を解決している。
【考案の効果】
【０００６】  本考案は上記のように息苦しさを軽減するために、マスクと顔の間に本品を入れるのだが、口紅やグロスなどのお化粧品をマスクに付着するのを防いでくれる。
【図面の簡単な説明】
【０００７】
【図１】本考案であるマスクのブラケットのアイソメ図である。
【考案を実施するための形態】
【０００８】  マスクと顔の間に本品を入れることにより隙間を増やし、ワークアウト中の鼻や口からの呼吸のサポート、マスクが汗や水分で湿った時も鼻や口にくっつく不快感が無くなり、着けていても周りからの見た目的に違和感がない、マスクによる息苦しさから解放される製品
【実施例】
【０００９】  以下の添付図面に従って一つの実施例を説明する。１は耐久性のプラスチックなどの適材素材を使い一体成型による本体とする。マスクと顔の隙間に本体を挟むので図１のように上下の確認をとる。
【符号の説明】
【００１０】  １  マスクブラケットの本体
【図１】
0003230672.tif 000003
【手続補正書】
【提出日】令和2年9月14日(2020.9.14)
【手続補正１】
【補正対象書類名】実用新案登録請求の範囲
【補正対象項目名】請求項１
【補正方法】変更
【補正の内容】
【請求項１】
マスクと顔の間に本品を入れることにより隙間を増やし、ワークアウト中の鼻や口からの呼吸のサポート、マスクが汗や水分で湿った時も鼻や口にくっつく不快感が無くなり、着けていても周りからの見た目に違和感がない、マスクによる息苦しさからの解放を特徴とし、鼻と口を覆う呼吸器マスクのような形状を有する、マスクによる息苦しさから解放される製品
【手続補正書】
【提出日】令和2年11月16日(2020.11.16)
【手続補正１】
【補正対象書類名】実用新案登録請求の範囲
【補正対象項目名】全文
【補正方法】変更
【補正の内容】
【実用新案登録請求の範囲】
【請求項１】
耐久性のある適材素材を使い、複数の開口部を有する一体成型による製品であって、マスクと顔の隙間に挟み込む製品。
(57)【要約】      （修正有）【課題】通気性が向上し、数回水洗しても変形せず、乾燥速度を上げることができ、細菌の繁殖を効果的に抑制し、カビを防ぐことができ、ボンディングラグ、キルティングラグ、キルティング敷パット、薄いマットレス、ごろ寝マットとして使うことができて、さまざまな用途がある吸水・速乾高通気性ウレタンフォームラグを提供する。【解決手段】吸水・速乾高通気性ウレタンフォームラグは、表布１は各種類の表生地であり、真ん中は吸水・速乾高通気性ウレタンフォーム層２である。高通気性ウレタンフォーム層２の内側部分は多角形の不規則な穴状構造であり、多角形の不規則な穴状構造の穴と穴は互いに連通し、高通気性ウレタンフォーム層２の下は滑り止め層３である。【選択図】図１
0003230679.tif 000002
【実用新案登録請求の範囲】
【請求項１】
ラグであって、
吸水・速乾高通気性ウレタンフォーム層を備え、
前記吸水・速乾高通気性ウレタンフォーム層の内側部分は多角形の不規則な穴状構造であり、
前記高通気スポンジ層の上は各種類の生地であり、
前記高通気性ウレタンフォーム層の下に滑り止め層がある事を特徴とする。
【請求項２】
前記吸水・速乾高通気性ウレタンフォーム層の内側にある多角形の不規則な穴状構造の穴と穴は互いに連通し、
通気性高いということを特徴とする請求項1に記載のラグ。
【請求項３】
前記下層は滑り止めをかけることを特徴とする請求項1に記載のラグ。
【考案の詳細な説明】
【技術分野】
【０００１】
本考案は、紡績技術分野に関し、特にラグに関する。
【背景技術】
【０００２】
ラグは屋内の床に敷くための織物であり、家を美化する装飾品として使用することができ、また日常的な休憩時に直接座ったり、寝転がったりして使用することもできる。一般的に使用されるラグの材料は普通の通気性のないウレタンフォームや固綿などが多い。通気性が悪く、細菌が繁殖しやすいため、長時間使用後にカーペット（ラグ）が汚くなりやすい。また、通常のラグは頻繁に洗濯すると変形しやすく、長時間に渡り空気乾燥させる必要がある。
【考案の概要】
【考案が解決しようとする課題】
【０００３】
従来の技術では、ラグの通気性が悪く、水洗いに弱く、空気乾燥が遅いという問題が存在する。したがって、通常のラグは頻繁に洗濯すると変形しやすく、長時間に渡り空気乾燥させる必要がある。
【０００４】
本考案の目的は、上記従来の技術的な問題を解決することである。
【課題を解決するための手段】
【０００５】
上記の目的を達成するために、本実用新案は以下の技術的解決策を採用する。
【０００６】
本考案の一実施の形態のラグは、吸水・速乾高通気性ウレタンフォーム層を備え、前記高通気性のウレタンフォーム層の内側部分は多角形の不規則な穴状構造であり、前記高通気性のウレタンフォーム層の上は表布、前記高通気性のウレタンフォーム層の下は滑り止め層である。
【考案の効果】
【０００７】
本願において開示される考案のうち、代表的なものによって得られる効果を簡単に説明すると以下のとおりである。
【０００８】
なお、本考案において、「ラグ」は、「カーペット」を含む。
【０００９】
本考案の一実施の形態によれば、通常のラグより通気性を向上させ、滑り止めの効果を上げ、更に細菌繁殖を効果的に抑制することができる為、さまざまな場面で活躍できると考えられる。
【図面の簡単な説明】
【００１０】
【図１】本考案の一実施の形態におけるラグの斜視図である。
【図２】本考案の一実施の形態におけるラグの斜平面図である。
【図３】本考案の一実施の形態におけるラグの構造図である。
【考案を実施するための形態】
【００１１】
以下、本考案の実施の形態を図面に基づいて詳細に説明する。なお、ここで記載されている実施形態は、本実用新案の一部に過ぎず、すべての実施形態ではないことは明らかである。また、実施の形態を説明するための全図において、同一部には原則として同一の符号を付し、その繰り返しの説明は省略する。
【００１２】
本実用新案の説明において、用語である「上」「下」「前」「後」「左」「右」「上部」「底部」「内側」「外側」などの向きまたは位置関係は、図面に示される向きまたは位置関係に基づいており、単に本実用新案の簡単な説明を図るためのものであり、言及されているデバイスや部品が特定の向きを有し、特定の向きで操作されることを示したり暗示したりするものではない。したがって本実用新案を限定するものと理解してはならない。
【００１３】
図１は、本考案の一実施の形態におけるラグの斜視図である。
【００１４】
図２は、本考案の一実施の形態におけるラグの斜平面図である。
【００１５】
図１及び図２の1は、本考案の一実施の形態におけるラグの表生地である。
【００１６】
図１及び図２の２は、本考案の一実施の形態におけるラグの吸水・速乾高通気性ウレタンフォーム層である。
【００１７】
図１及び図２の３は、本考案の一実施の形態におけるラグの下層（滑り止めかけ）である。
【００１８】
図３の４は、本考案の一実施の形態におけるラグの吸水・速乾高通気性ウレタンフォーム多角形の不規則な穴状構造を表している。
【００１９】
図１及び図２に示されるように、ラグであって、吸水・速乾高通気性ウレタンフォーム層2を備え、高通気性ウレタンフォーム層2の内側部分は多角形の不規則な穴状構造4であり、多角形の不規則な穴状構造4の穴と穴は互いに連通し、良好な引張力を有する。
【００２０】
したがって、ラグは簡単に壊れることなく長時間使用でき、数回洗濯しても変形しない。また、ラグの通気性が向上した為、空気乾燥が速く、高通気性のラグ層2には表布1が接着され、表布1は抗菌防臭の効果がある為、菌の繁殖を効果的に抑制することができる。
【００２１】
また、ラグの上で歩いたり座ったりするとき、体から発生する熱や水分を効果的に分散させることができる。また、吸水・速乾高通気性スポンジ層2の下に滑り止め層3が接着され、効果的な滑り止め効果を提供することで、ラグが地面を滑らないようにすることができる。
【００２２】
このようにして、本考案のラグはボンディングラグ、キルティングラグ、キルティング敷パット、薄いマットレス、ごろ寝マットとして使うことができて、さまざまな用途がある。
【図１】
0003230679.tif 000003
【図２】
0003230679.tif 000004
【図３】
0003230679.tif 000005
【手続補正書】
【提出日】令和2年12月1日(2020.12.1)
【手続補正１】
【補正対象書類名】実用新案登録請求の範囲
【補正対象項目名】全文
【補正方法】変更
【補正の内容】
【実用新案登録請求の範囲】
【請求項１】
ラグであって、
吸水・速乾高通気性ウレタンフォーム層を備え、
前記吸水・速乾高通気性ウレタンフォーム層の内側部分は多角形の不規則な穴状構造であり、
前記吸水・速乾高通気性スポンジ層の上は各種類の生地であり、
前記吸水・速乾高通気性ウレタンフォーム層の下に滑り止め層があるラグ。
【請求項２】
前記吸水・速乾高通気性ウレタンフォーム層の内側にある多角形の不規則な穴状構造の穴と穴は互いに連通し、
通気性が高いということを特徴とする請求項１に記載のラグ。
【請求項３】
前記吸水・速乾高通気性ウレタンフォーム層の下に滑り止め層がある事を特徴とする請求項1に記載のラグ。
(57)【要約】      （修正有）【課題】飲食店などでマスクの着脱時に直接テーブルなどに置く場合、マスクが直接他の物に触れない様簡易的に覆う事が出来、又、楽しく使えて使用中のマスクの表裏を明確に出来るマスクカバーを提供する。【解決手段】使用中のマスクを外す際、マスクの上から覆いその状態で包む事から、マスクの内側と外側を簡易的に保護し、他の物に触れさせず、又、包んだカバーの表現が自由であり、様々な告知、広告が可能なマスクカバーであって、コート紙１にグラフィックデザインを施し、ラミネート加工７後サイズカット及び差し込み加工した。【選択図】図１
0003230676.tif 000002
【実用新案登録請求の範囲】
【請求項１】
使用中マスクの簡易保護カバーの提案。グラフィック処理をした型紙をラミネート加工しカットする。
【考案の詳細な説明】
【技術分野】
【０００１】コート紙表面にグラフィック印刷とラミネート加工を施す。予防告知など広告を可能としたシンプルな形。切り込みでマスクの位置を固定し易くした。
【背景技術】
【０００２】コロナ禍の中、マスクを着用し感染予防を心がける方の中で、飲食時などで着脱をする際の着脱時のマスク取り扱いを慎重に考えるべきであると考えます。マスクの表裏に直接触れず管理出来る事と、簡易で製作し易い点、そして焼却ゴミとして取り扱いができることや告知などグラフィックを表現する事が出来る様考える必要があると思います。
【先行技術文献】
【特許文献】
【０００３】
【特許文献１】アイ・デザイン合同会社社報０１紙製
【特許文献２】
【非特許文献】
【考案の概要】
【考案が解決しようとする課題】
【０００４】コロナ禍の中、少しでも罹患を防ぎたい強い思い。使用中のマスクの保管は個人差があり、飲食店などでマスクの着脱時にマスクを直接テーブルなどに直置きする場合がある。マスクが直接他の物に触れない様簡易的に覆う事が出来又、楽しく使え使用中マスクの表裏を明確に出来る物が欲しいと考えた。
【課題を解決するための手段】
【０００５】本考案は、使用中のマスクを外す際、マスクの上から覆いその状態で包む事から、マスクの内側と外側を簡易的に保護し、他の物に触れさせない事又、包んだカバーの表現が自由であり、様々な告知広告が可能である事。
【考案の効果】
【０００６】マスクの大切な口元が触れる部分を内側に曲げる事により、外部から触れる事がなく保護できる。又、マスクの外綿が他の物に触れる事が無く保護できる事。グラフィックやラミネートにより、楽しく告知、広告ができる事。
【図面の簡単な説明】
【０００７】
【図１】
0003230676.tif 000003
【考案を実施するための形態】
【０００８】コート紙にグラフィックデザインを施し、ラミネート加工後サイズカット差し込みなどを切り加工。
【実施例】
【０００９】以下添付図面に従って実施例を説明する。
0003230676.tif 000004
【産業上の利用可能性】
【００１０】本案は、幅広い年齢層に対し、グラフィックデザインを変化する事により対応可能。学童から高齢者施設など、多人数が集まる場所、又は飲食店で使用する事で、少しでも感染予防をしていただきたい。使用後は可燃ごみとして廃棄処理が可能です。
【符号の説明】
【００１１】
0003230676.tif 000005
【配列表フリーテキスト】【配列表】
【図１】
0003230676.tif 000006
【図２】
0003230676.tif 000007
【手続補正書】
【提出日】令和2年11月18日(2020.11.18)
【手続補正１】
【補正対象書類名】実用新案登録請求の範囲
【補正対象項目名】全文
【補正方法】変更
【補正の内容】
【実用新案登録請求の範囲】
【請求項１】
コート紙にグラフィックデザインを施し、ラミネート加工後サイズカット及び差し込み加工した事を特徴としたマスクカバー
【手続補正２】
【補正対象書類名】明細書
【補正対象項目名】０００７
【補正方法】変更
【補正の内容】
【０００７】
【図１】  正面図
【図２】  使用説明図
(57)【要約】      （修正有）【課題】取り外し可能で、紛失することがなく、グリーン上でボール位置が認識でき、楽しさを醸し出すことができるゴルフマーカーを提供する。【解決手段】キャラクター人形７、又、立体物の底面に、ゴルフボールの位置確認をする為のグリーン上に突き刺しできるプラスチック及び金属製のゴルフマーカー６を接着剤で完全固定し、グリーン上に突き刺す事により視認性を高める。また、キャラクター人形、又、立体物の一部に穴を開け、ゴルフマーカーを差し込み、他のプレーヤーのプレーの妨げになる場合には、取り外しできるようにする。さらに、キャラクター人形の頭に吊り金具４を取り付け、ストラップ１に連結させ、ズボンのベルトに直接装着する。取り外しにはクリップ２でキャラクター人形と分離させる。【選択図】図１
0003230671.tif 000002
【実用新案登録請求の範囲】
【請求項１】
キャラクター人形本体、又、立体物の底面にゴルフマーカーを接着、完全固定して頭上、又、頂点に吊り下げる事が可能な金具を装着し、リボン紐を付け、リボン紐の先を団子結びをしキャラクター付ゴルフマーカーとして、ゴルフ場のグリーン上で利用。
【請求項２】
請求項１のキャラクター付ゴルフマーカーをプレーヤー（使用者）の腰ベルトにくくりつけ、キャラクター付ゴルフマーカーをクリップ形式で脱着できるよう簡易にする。
【請求項３】
キャラクター人形本体、又、立体物のゴルフマーカーが他のプレーヤーのパッティングの邪魔になる時に、キャラクター人形本体、又、立体物の背面に他のゴルフマーカーを装着できるよう差し込み穴を空け、ゴルフマーカーを取り外し出来るようにした２ＷＡＹ仕様のゴルフマーカーである。
【考案の詳細な説明】
【背景技術】
【０００１】
0003230671.tif 000003
ラクター人形の頭、又、立体物の頂点にも、クサリ等を吊るせる様に吊り金具を（装着）取り付ける。吊り金具に直接、紐、クサリ等の吊るすことが出来る物を付ける。プレーヤーのズボンのベルト等に直接装着し、取り外しにはクリップからキャラクター人形と分離させる。キャラクター人形等（立体物）の背面に穴をあけ、差し込まれた予備
0003230671.tif 000004
同伴競技者のパッティングの邪魔になる時に、キャラクター人形等の代わりにボールマーカーとして利用。
【考案の効果】
【０００２】  キャラクター人形の頭（立体物の頂点）にリボン紐を付け、リボン紐の先端を団子結びにし、ベルトに吊り下げる組紐等の先に開閉できるクリップでそれを挟み、ボールマーカーを必要な時に取り外しが出来、使用後は、クリップに装着する。団子結びをすることによりクリップより取れにくいのでマーカーを紛失することもない。立体物なのでグリーン上で自分のボール位置がすぐわかる。他のプレーヤーのパッティングの邪魔に
0003230671.tif 000005
てキャラクター人形等が他のプレーヤーを和ませ、インパクトが良く、楽しさを醸し出す。
【図面の簡単な説明】
【０００３】
【図１】本考案のキャラクター付脱着型ゴルフマーカーの一実施例を示す正面図である。
【図２】本ゴルフマーカーの連結図である。
【考案を実施するための形態】
【０００４】  本体はストラップ部（組紐＋クリップ）とキャラクター人形（底辺にゴルフマーカー付き）、背部に（脱着式ゴルフマーカー）にて構成される。キャラクター人形頭部（頂点）に吊り金具にてリボン紐を取り付け団子結びをし、使用時はクリップ部で切り離し
0003230671.tif 000006
一単体として使用する。
【実施例】
【０００５】  以下、添付図面（図１）に従って一実施例を説明する。▲１▼は、プレーヤー（使用者）の身体に装着するための組紐、▲２▼は▲１▼の組紐の先端にクリップを取り付ける、▲１▼と▲２▼でストラップ部とする。【０００６】  ▲３▼はストラップ部と脱着するためのリボン紐、▲４▼は▲３▼のリボン紐と▲７▼のキャラクター人形本体を繋げるための吊り金具。▲５▼は▲７▼のキャラクター人形の背部に穴を空け脱着可能なゴル
0003230671.tif 000007
【符号の説明】
【０００７】  ▲１▼組紐（ストラップ部）
▲２▼クリップ（ストラップ部）
▲３▼リボン紐
▲４▼吊り金具
0003230671.tif 000008
▲７▼キャラクター人形
【図１】
0003230671.tif 000009
【図２】
0003230671.tif 000010
【手続補正書】
【提出日】令和2年9月15日(2020.9.15)
【手続補正１】
【補正対象書類名】実用新案登録請求の範囲
【補正対象項目名】全文
【補正方法】変更
【補正の内容】
【実用新案登録請求の範囲】
【請求項１】
キャラクター人形、又、立体物の底面にゴルフ場のグリーン上においてゴルフボールの位置確認をする為のグリーン上に突き刺しできる、プラスチック及び金属製のゴルフマーカーを、接着剤で完全固定し、グリーン上に突き刺す事によりキャラクター人形、又、立体物が視認性を高めることを特徴としたゴルフマーカー。
【請求項２】
キャラクター人形、又、立体物のゴルフマーカーの一部に穴を開け、プラスチック及び金属製のゴルフマーカーを差し込む。グリーン上でキャラクター人形、又、立体物のゴルフマーカーが他のプレーヤーのプレーの妨げになる場合には、穴に差し込んだゴルフマーカーと置き換える。２通りの使い方が出来ることが特徴のゴルフマーカー。
【手続補正書】
【提出日】令和2年11月18日(2020.11.18)
【手続補正１】
【補正対象書類名】実用新案登録請求の範囲
【補正対象項目名】全文
【補正方法】変更
【補正の内容】
【実用新案登録請求の範囲】
【請求項１】
キャラクター人形、又、立体物の底面にゴルフ場のグリーン上においてゴルフボールの位置確認をする為のグリーン上に突き刺しできる、プラスチック及び金属製のゴルフマーカーを、接着剤で完全固定し、グリーン上に突き刺す事によりキャラクター人形、又、立体物が視認性を高めることを特徴としたゴルフマーカー。
【請求項２】
キャラクター人形、又、立体物のゴルフマーカーの一部に穴を開け、プラスチック及び金属製のゴルフマーカーを差し込み、グリーン上でキャラクター人形、又、立体物のゴルフマーカーが他のプレーヤーのプレーの妨げになる場合には、穴に差し込んだゴルフマーカーと置き換えることで、２通りの使い方が出来ることが特徴のゴルフマーカー。